(57)【要約】プログラム領域内の複数のプログラムブロックのそれぞれの位置を示す第１のインデックスを含む記録フォーマットを有する光ディスクであって、前記プログラムブロックは読み取り可能なデータを含む一又は二以上のコンテンツブロックと、回復不可能なデータを含む一又は二以上の回復不可能なブロックとを有し、前記記録フォーマットは回復不可能なブロックの位置は指示せずにコンテンツブロックの位置を指示する第２のインデックス含む。好ましくは、第２のインデックスは光ディスク上のコンテンツを再生するための優先される開始位置を指示する。【選択図】図１
2011512610.tif 000002
【特許請求の範囲】
【請求項１】
光ディスクであって、
ａ．コンテンツデータを有する一又は二以上のコンテンツブロックと、読み取り不可能なデータを含む一又は二以上のコピープロテクションブロックとからなり、前記光ディスク上のプログラム領域内にある複数のプログラムブロックと、
ｂ．前記複数のプログラムブロックのそれぞれの位置を指示する第１のインデックスと、
ｃ．前記読み取り不可能なブロックの位置は指示せずに前記コンテンツブロックの位置を指示する第２のインデックスと、
からなるフォーマットで前記光ディスク上に記録されたコンテンツデータを有することを特徴とする光ディスク。
【請求項２】
前記プログラム領域内に、前記第１のインデックスを有するナビゲーションデータブロックを含むことを特徴とする請求項１に記載の光ディスク。
【請求項３】
前記ナビゲーションデータブロックは更に前記第２のインデックスを有することを特徴とする請求項２に記載の光ディスク。
【請求項４】
前記第２のインデックスは優先再生ポインタを有することを特徴とする請求項１乃至３のいずれか一項に記載の光ディスク。
【請求項５】
前記プログラム領域外に、読み取り不可能なデータを含む一又は二以上の更なるコピープロテクションブロックを更に含むことを特徴とする請求項１乃至４のいずれか一項に記載の光ディスク。
【請求項６】
前記更なるコピープロテクションブロックは、前記光ディスク上の最初の及び／又は最後の位置にあることを特徴とする請求項５に記載の光ディスク。
【請求項７】
前記一又は二以上の更なるコピープロテクションブロックは認証情報を含むことを特徴とする請求項５又は６に記載の光ディスク。
【請求項８】
前記認証情報は前記読み取り不可能なデータ内に含まれることを特徴とする請求項７に記載の光ディスク。
【請求項９】
前記一又は二以上の更なるコピープロテクションブロックが一又は二以上のナビゲーションポインタを含み、かつ前記第１及び／または第２のインデックスが前記一又は二以上のナビゲーションポインタを介して間接的に前記位置を指示することを特徴とする請求項５乃至８のいずれか一項に記載の光ディスク。
【請求項１０】
前記読み取り不可能なデータは光ディスクドライブでは読み取り不可能なデータフォーマットで記録されることを特徴とする請求項１乃至８のいずれか一項に記載の光ディスク。
【請求項１１】
請求項１乃至１０のいずれか一項に記載の光ディスクから、前記第２のインデックスにアクセスして前記コンテンツブロックを選択的にコピーする一方で前記コピープロテクションブロックの読み取りを避けることで、コンテンツデータをコピーするように構成された光ディスクのコピープログラム。
【請求項１２】
光ディスクであって、
ａ．前記光ディスク上の、コンテンツデータとナビゲーションインデックスとを有するプログラム領域と、
ｂ．前記プログラム領域外の、読み取り不可能なデータと一又は二以上のナビゲーションポインタとを含む一又は二以上のコピープロテクションブロックと、
からなるフォーマットで前記光ディスク上に記録されたコンテンツデータを有し、
前記ナビゲーションインデックスが前記一又は二以上のナビゲーションポインタを介した間接的なインデックスであることを特徴とする光ディスク。
【請求項１３】
請求項７又は請求項８に記載のディスクに対応する光ディスクの認証を行う方法であって、前記一又は二以上の更なるコピープロテクションブロックが前記認証情報を含むかを判断することを含むことを特徴とする方法。
【請求項１４】
請求項１乃至８のいずれか一項に記載のディスクに対応する光ディスクの認証を行う方法であって、
ａ．前記一又は二以上のコンテンツブロックを含むオリジナルディスクが一又は二以上の前記コピープロテクションブロックを含んでいるかをデータベースから判断し、含んでいる場合には、
ｂ．前記コピープロテクションブロックが存在すれば前記ディスクを真正品と判断する
ことを特徴とする方法。
【請求項１５】
光ディスクの製造方法であって、
ａ．コンテンツデータを有する一又は二以上のコンテンツブロックと、読み取り不可能なデータを含む一又は二以上のコピープロテクションブロックとからなり、前記光ディスク上のプログラム領域内にある複数のプログラムブロックと、
ｂ．前記複数のプログラムブロックのそれぞれの位置を指示する第１のインデックスと、
ｃ．前記読み取り不可能なブロックの位置は指示せずにコンテンツブロックの位置を指示する第２のインデックスと、
からなるフォーマットでコンテンツデータをフォーマットすることを含むことを特徴とする光ディスクの製造方法。
【請求項１６】
請求項１３に記載の方法を実行するために構築されたプログラムコードを含むことを特徴とするコンピュータプログラム。
【請求項１７】
請求項７又は請求項８に記載の光ディスクのデータベースであって、前記光ディスクのそれぞれについて正しい認証情報を特定することを特徴とするデータベース。
【請求項１８】
請求項１乃至１０のいずれか一項に記載の光ディスクのデータベースであって、前記コンテンツデータに従って前記ディスクを特定することを特徴とするデータベース。
【発明の詳細な説明】
【技術分野】
【０００１】
この発明は、データ、特に光ディスク媒体等のキャリアにデジタル形式で記録されたデータのコピーを防止する又は制限するための方法、ソフトウェア及びフォーマットに関する。本明細書において、「光ディスク媒体」という用語は、ＤＶＤ、ＨＤ−ＤＶＤ及びブルーレイ（ＢＤ）規格に実質的に一致するディスクや、可視域内あるいは可視域外の電磁放射を利用して読み取りが可能な同様の媒体を含むことを意図している。
【背景技術】
【０００２】
ＤＶＤフォーマットは現在のところ、高品質のビデオコンテンツの頒布に好適なフォーマットであり、コンテンツのコピーを制限するために設計された様々な方法を含んでいる。これらの方法には、コンテンツ・スクランブリング・システム（ＣＳＳ）による暗号化が含まれるが、この方法でコンテンツを再生するには、再生装置のソフトウェアが関連する暗号キーを知得している必要がある。
【０００３】
ＤＶＤは専用の再生装置で再生することができるが、再生装置は一般的にファームウェアに再生装置プログラムが含まれており、プログラムを書き変えることはできないようになっている。再生装置プログラムはＤＶＤのコンテンツを再生するために必要な暗号化キーを含んでいるが、コンテンツをコピーするように設定することはできない。ＤＶＤは汎用コンピュータの周辺機器としてのＤＶＤドライブでも再生することができ、ＤＶＤドライブはコンテンツを復号し再生するためにＷｉｎＤＶＤ（製品版）又はＰｏｗｅｒＤＶＤ（製品版）のような再生装置プログラムを動作させる。しかしながら、ＣＳＳやその他の方法は、回避の方法が発見されてしまっており、汎用コンピュータを使用してＤＶＤからコンテンツをコピーすることを技術的に容易にする様々なプログラムが入手可能となってしまった。したがって、著作権所有者にはコンテンツの不正なコピーに賠償を求める法的手段しか残されなくなってしまう。
【０００４】
ＤＶＤのコピープロテクトの様々な技術的手段が、当該分野で知られている。例えば、ＥＰ−Ａ−１５６６  ８０３は、読み取り不可能なデータ又は破壊（subversive）データを組み込んで、セクタの逐次コピーによるリッピング（ripping）を防止又は妨害し、かつポインタを組み込んで通常の再生中は破壊データにアクセスされることを防いでいる。破壊データへのナビゲーション可能なパス（navigable paths）は存在しない。
【０００５】
出願人の特許公開ＷＯ−Ａ−０３／０７７２４６は、光ディスク、例えばコンパクトディスクのコピープロテクション用フォーマットを開示しており、該フォーマットでは、コンテンツの目次（table）はトラックの偽のスタート位置を示し、この偽のスタート位置には回復不可能なデータが存在しており、一方で、サブチャネルがトラックの本当のスタート位置を示している。再生装置がコンテンツの目次と共にサブチャネルの情報も参照することによって、トラックの読み取りが許可される。
【０００６】
出願人の特許公開ＷＯ−Ａ−０４／１０９６８１は、更に改良したものを開示しており、追加のインデックスが含まれ、いくつかのタイプの再生装置がトラックの本当のスタート位置を判断することが可能になっている。追加のインデックスは、ビデオＣＤインデックス（Video CD index）とすることができる。
【発明の概要】
【０００７】
本発明の一態様によれば、プログラム領域内で複数のプラグラムブロックのそれぞれの位置を指示する第１のインデックスを含む記録フォーマットを有する光ディスクが提供され、該プログラムブロックは、読み取り可能なデータを含む一又は二以上のコンテンツブロックと、回復不可能なデータを含む一又は二以上の回復不可能なブロックとからなり、前記記録フォーマットは、前記回復不可能なブロックの位置は指示せずにコンテンツブロックの位置を指示する第２のインデックスを含む。好ましくは、第２のインデックスは光ディスクのコンテンツを再生するための優先される開始位置又はナビゲーションポインタを指示する。
【０００８】
このようにして、光ディスク再生装置がコンテンツブロックを再生し且つ回復不可能なブロックの読み取りを回避することが可能となり、その一方で逐次コピープログラム（serial copying program）はコンテンツブロックと回復不可能なブロックとの両方を読もうと試みることで、エラー状態になってコンテンツブロックのコピーが防止される。
【０００９】
本発明の別の一態様によれば、前記第２のインデックスを用いて、選択的な読み取りを行うことによってコンテンツブロックのみをコピーして回復不可能なブロックはコピーしないことで、第一の態様に係る記録フォーマットを回避する方法が提供される。
【００１０】
本発明の別の一態様によれば、プログラム領域内にある第１のナビゲーションポインタを有する光ディスクが提供され、該第１のナビゲーションポインタはプログラム領域外にある第２のナビゲーションポインタを指示する。
【００１１】
本発明の別の一態様によれば、ディスクの回復不可能なブロック内の認証情報の存在を検出することによって、光ディスクの認証を行う方法を提供する。前記ブロックは最初の及び／又は最後のブロックとすることができる。
【００１２】
本発明の別の一態様によれば、コピープロテクションを含むオリジナルディスクのデータベースを参照し、ディスクのコンテンツがデータベース内のオリジナルディスクのコンテンツと一致するかを判断し、そして一致した場合、コピープロテクションが存在すればそのディスクを真正品と判断することにより、光ディスクの認証を行う方法が提供される。
【００１３】
本発明は、光ディスクの記録方法、該方法を実施するためのコンピュータプログラム、及び光ディスクのデータ構造に及ぶものである。
好適な実施形態の詳細な説明は、添付の図面を参照して行う。
【図面の簡単な説明】
【００１４】
【図１】本発明の第１実施形態における、単一のトラックを有するＤＶＤディスクフォーマットの図である。
【図２】本発明の第２実施形態における、単一のトラックを有するＤＶＤディスクフォーマットの図である。
【図３】第１及び第２実施形態に係る光ディスクの製造段階を示す図である。
【発明を実施するための形態】
【００１５】
（背景）
以下の標準的なＤＶＤフォーマットの態様は、本発明の実施形態の背景を理解する助けとなるように記載するものである。当業者であれば、ＤＶＤフォーマットの更なる詳細については知っているだろうから、ここでは記載しない。
【００１６】
ＤＶＤのデータは、光ディスクの螺旋トラックに記録されている。データはリードイン領域（lead-in area）、データ領域（data area）、及びリードアウト領域（lead-out area）からなる。データ領域は、データ領域の構造及びコンテンツを特定するボリューム記述子（volume descriptor）を、一又は二以上のトラックと共に含んでいる。各トラックはＩＦＯ（information,情報）ファイルを含んでおり、トラック内に個々のタイトルセット（title sets）についてのナビゲーション情報を含んでいる。各タイトルセットは音声（audio）、映像（video）及び／又はデータコンテンツを、どのようにコンテンツを表示するか決定するための制御データと共に有することができる。
【００１７】
光ディスクはＵＤＦファイルシステムのデータを含んでおり、これによって、光ディスク用ＵＤＦ規格を用いてディスクのコンテンツを特定することが可能となる。ディスクはまた、ＩＳＯ９６６０ファイルシステムのデータを含むこともでき、このデータはＵＤＦデータと同じファイルシステムを記述し、ＩＳＯ９６６０規格に適合するようになっている。
【００１８】
以下の明細書において、上述したタイプの専用のＤＶＤ再生装置を「ＤＶＤ再生装置」と称し、一方で汎用コンピュータに周辺機器として接続されるＤＶＤドライブを「ＤＶＤドライブ」と称する。
【００１９】
（本発明の具体的な実施形態）
本願発明の一実施形態は、以下に述べる部分を除いてＤＶＤ規格に従った光ディスクを有する。本実施形態において、ディスクのデータコンテンツは単一のトラックを有し、このトラックは光ディスクの一又は二以上の層を占めてもよい。
【００２０】
図１に光ディスクのフォーマットを示す。単一のトラック２は、順番に、回復不可能なデータを含むスタートカプセル化ブロック（start encapsulation block）４と、ＩＳＯ／ＵＤＦファイルシステムブロック６と、ファイルシステムプログラム領域８と、回復不可能なデータを含むエンドカプセル化ブロック（end capsulation block）１０と、からなる。
【００２１】
ファイルシステムプログラム領域８は、順番に、ナビゲーションデータブロック１２（即ちＩＦＯファイル）と、少なくとも一つの最初のカプセル化ブロック１４と、少なくとも一つのタイトルセットブロック１６と、少なくとも一つの最後のカプセル化ブロック１８と、からなる。なお、最初の及び最後のカプセル化ブロック１４，１８が双方とも存在することは必要不可欠ではなく、実施形態は一又は二以上の最初のカプセル化ブロック１４だけ、あるいは一又は二以上の最後のカプセル化ブロック１８だけを有してもよい。多数の最初の及び／又は最後のカプセル化ブロック１４，１８があってもよく、タイトルセットブロック１６よりかなり多数であることが好ましい。最初の及び／又は最後のカプセル化ブロック１４，１８は回復不可能なデータを含む。
【００２２】
カプセル化ブロック４，１０，１４，１８内に含まれる回復不可能なデータは、ＤＶＤ規格に従う制御データを含んでいるが、データ自体はＤＶＤ再生装置では正しく読むことができないフォーマットで記録されている。
【００２３】
ナビゲーションデータブロック１２は、（一つ又は複数の）最初のカプセル化ブロック１４、（一つ又は複数の）タイトルセットブロック１６及び（一つ又は複数の）最後のカプセル化ブロック１８へのそれぞれのポインタ１３を含んでいる。ナビゲーションデータブロック１２はまた、優先される再生ポインタ１５を含んでおり、これら優先再生ポインタ１５はタイトルセットブロック１６の位置を指示するが、最初又は最後のカプセル化ブロック１４，１８の位置は指示しない。優先再生ポインタ１５はＤＶＤ規格に従ったもので、ナビゲーションポインタと称される。その機能は、通常は、どこで再生が好適に開始するかをＤＶＤ再生装置に指示することである。
【００２４】
ファイルシステムブロック６はファイルシステムプログラム領域８の開始位置へのポインタを含み、従ってナビゲーションデータブロック１２の開始位置へのポインタを含んでいるが、最初若しくは最後のカプセル化ブロック１２，１８又はタイトルセットブロック１６へのポインタは含んでいない、というのも、この内部構造はＵＤＦ／ＩＳＯ規格の一部を形成していないからである。
【００２５】
ディスクがＤＶＤ再生装置にロードされると、再生装置はファイルシステムブロック６を読み、カプセル化スタートブロック４及びカプセル化エンドブロック１０は無視する。ＤＶＤを再生するように指示が与えられると、再生装置はナビゲーションデータブロック１２を読んで、優先再生ポインタ１５から、どのポイントで再生を開始するかを決定する。このようにして、ＤＶＤ再生装置はタイトルセットブロックを再生し、最初の及び／又は最後のカプセル化ブロック１４，１６の再生は試みることがない。
【００２６】
汎用コンピュータでディスクをコピーする試みがなされる場合、ディスクはＤＶＤドライブにロードされ、「リッパー」（ripper）プログラムがコンピュータ上で動作する。リッパープログラムは一般的にディスク上に記録されているデータそのままのコピーを作成しようと試みるが、この場合にはリッパープログラムはカプセル化スタートブロック４及び／又はカプセル化エンドブロック１０の回復不可能なデータを読もうと試みる。結果として、ＤＶＤドライブはリッパープログラムにエラー状態を知らせることになり、リッピング動作は失敗する。
【００２７】
より精巧なリッパープログラムはカプセル化スタート及び／又はエンドブロック４，１０を無視して、ファイルシステムプログラム領域８外のファイルシステムブロック６のみを読むことができる。リッパープログラムはその後ナビゲーションデータブロック１２を読んでタイトルセットブロックの位置、この場合は最初の及び／又は最後のカプセル化ブロック１４，１８及びタイトルセットブロック１６の位置を判断する。リッパープログラムは優先再生ポインタ１５を無視する。というのも、これら優先再生ポインタ１５は、表面上はコピーに関連しないものだからである。したがって、リッパープログラムにとって、最初の及び／又は最後のカプセル化ブロック１４，１８はタイトルセットブロック１６から判別不可能であり、リッパープログラムはこれらのブロックのそれぞれを順番に読んでコピーしようと試みる。しかしながら、最初の及び／又は最後のカプセル化ブロック１４，１８内の回復不可能なデータを読むことによって、ＤＶＤドライブはリッパープログラムにエラー状態を知らせることになり、これによってリッピング動作は失敗する。
【００２８】
このように、ＤＶＤフォーマットはコンテンツのリッピングを防止するが、ＤＶＤ再生装置によるコンテンツの再生は許可する。
【００２９】
（回避技術）
上述したコピープロテクションフォーマットを回避する試みとして、リッパープログラムを、ナビゲーションデータ１２内の優先再生ポインタ１５を読み、且つその優先再生ポインタ１５が指示するタイトルセットブロック１６のみをコピーし、最初の及び／又は最後のカプセル化ブロック１４，１８の読み取りは回避するように設計することが予想される。この場合、例えば、リッパープログラムは最初の及び／又は最後のカプセル化ブロック１４，１８がブランクのタイトルセットとして再作成されたコピーＤＶＤを作成するだろう。このようなリッパープログラムは、本発明の原理の知識に基づいており、従って本発明の別の態様の実施形態と考えることができる。
【００３０】
（回避防止手段）
第２実施形態は、上述の回避技術を阻止することを目的としており、図２を参照して説明する。最初の及び／又は最後のカプセル化ブロック１４，１８は一又は二以上のカプセル化されたナビゲーションポインタ１５’を含んでいる。この場合、カプセル化されたナビゲーションポインタ１５’は、第１実施形態のポインタ１５が指示するように優先される再生位置を指示するが、これらのポインタ１５’は選択的に又は追加的に第１実施形態のポインタ１３に代替することができる。言い換えれば、第１実施形態の直接的なポインタ１３，１５は、第２実施形態では最初の及び／又は最後のカプセル化ブロック１４，１８を介する間接的なポインタに替えることが可能である。
【００３１】
（一つ又は複数の）ナビゲーションポインタの（一つ又は複数の）位置は、ファイルシステムプログラム領域８内、例えばナビゲーションブロック１２内の一又は二以上のポインタ１７によって指示することができる。したがって、ナビゲーションポインタ１７及び１５’は、最初の及び／又は最後のカプセル化ブロック１４，１８を介するポインタのチェーンを形成する。コピーディスクを作成する際に、最初の及び／又は最後のカプセル化ブロック１４，１８のコンテンツがリッパープログラムによって削除されると、このポインタのチェーンが壊れるので、コピーディスク内で正しくナビゲートを行うことが不可能となる。
【００３２】
好適には、カプセル化されたナビゲーションポインタ１５’は回復不可能なデータ内に位置しており、ブロックが順次読まれた場合に回復不可能なデータから容易に切り離すことができないようになっている。このように、リッパープログラムは、回復不可能なデータを除いてナビゲーションポインタ１５’をコピーすることを防止される。
【００３３】
（ディスク認証）
追加的な又は代替的な特徴として、最初の及び／又は最後のカプセル化ブロック１４，１８は、ディスクが真正品であることを証明する認証情報を含むことができる。認証情報は回復不可能なデータの一部を形成しても良いし、回復不可能なデータから切り離すこともできる。認証情報は「透かし」（watermark）として形成して、最初の及び／又は最後のカプセル化ブロック１４，１８内において他のデータから容易に切り離すことができないようにしてもよい。
【００３４】
リッパープログラムが最初の及び／又は最後のカプセル化ブロック１４，１８をコピーディスクにコピーすることを回避すると、そこで認証情報は失われる。したがって、最初の及び／又は最後のカプセル化ブロック１４，１８内の認証情報の存在はディスクが真正品であることの表示として使用することができる。認証情報が回復不可能なデータの一部を形成する実施形態では、光ディスクドライブに接続されたコンピュータにロードされた専用の再生装置プログラムによって、又は変更を加えた（modified）ディスク再生装置によって、回復不可能なデータを読むことができ、そして認証情報を特定することができる。どちらで読んだ場合でも、認証情報が失われている又はディスクのコンテンツと一致しないときはディスクの再生を禁止することができる。別個のオリジナルディスクに対応する認証情報のデータベースを作成することができ、検出された認証情報をデータベース内のディスクのコンテンツと比較してチェックし、認証情報が正しいものか判断することができる。コンテンツはデータベース内でハッシュ値（hash value）として表示されているが、これは現在ＣＤＤＢ（Compact Disc Data Base）データベースで使用されているものと同様のものである。
【００３５】
代わりに、データベースは、最初の及び／又は最後のカプセル化ブロック１４，１８内の回復不可能なデータによって保護された一組のオリジナルディスクのコンテンツを特定するものであっても良い。ディスクのコンテンツがデータベース上のエントリには適合するが、最初の及び／又は最後のカプセル化ブロック１４，１８が回復不可能なデータを含んでいない場合は、そのディスクは真正品ではないと判断される。
【００３６】
（ディスク製造）
本発明の一実施形態に従ってフォーマットされた光ディスクの製造には、マスタリング工程中に使用する特別なソフトウェアが必要であり、マスタリング工程は図３に示されている。一又は二以上のトラック用のソースデータＤがキャリアに提供されるが、このキャリア自体が記録可能な光ディスク又はデジタルテープとすることができる。ソースデータはソフトウェアによってフォーマットされ（Ｓ１０）、光ディスクに記録するために、上述のフォーマットでセッション及び関連データが作成される。フォーマットされたデータは、光ディスクのマスターに、例えばコーティングされたガラスマスターにデータを書き込むレーザービーム記録装置を用いて記録される（Ｓ２０）。ガラスマスターは現像され（Ｓ３０）、金属処理を施したガラスマスターＭが製造される。マスターは、電気鋳造工程（Ｓ４０）によって一又は二以上のスタンパＳを製造するのに使用される。光ディスクＯＤはスタンプ工程（Ｓ５０）によってスタンパＳから量産される。少量の製造に適した代替的な実施形態では、記録可能な光ディスクをフォーマットされたデータで直接記録することができる。
【００３７】
フォーマットされたデータは、後に入力用データセットとして記録装置に記録することができる。
【００３８】
本発明の実施形態は、データをフォーマットし及び／又は記録工程を制御して、本発明の一実施形態に係るフォーマットを有する一又は二以上のディスクを作成するためのディスク製造ソフトウェアを含む。実施形態はまた、上述の構造を有するフォーマットされたデータも含む。
【００３９】
上述の実施形態は、純粋に例示として提供されるものである。代替物で、明細書を読んだ当業者に明らかなものは、特許請求の範囲に記載される発明の範囲内に当然に該当するものである。
【図１】
2011512610.tif 000003
【図２】
2011512610.tif 000004
【図３】
2011512610.tif 000005
【国際調査報告】
2011512610.tif 000006
2011512610.tif 000007
2011512610.tif 000008